(57)【要約】【課題】煩雑な操作を行うことなく、表示画面上に表示されるコンテンツデータのプレビュー画像を容易にプレビュー可能とする。【解決手段】プリンタ位置検出部１０４は、表示画面に接近又は接触しているプリンタ１０１の位置を検知する。プレビュー表示領域設定部１０７は、プリンタ位置検出部１０４により検知された位置に対応する表示領域を設定する。プレビュー生成部１０８は、表示画面に表示されるコンテンツデータのプレビュー画像を生成する。表示制御部１０９は、前記プレビュー画像を前記表示領域に表示させる。【選択図】図１
2010282364.tif 000002
【特許請求の範囲】
【請求項１】
表示画面に接近又は接触している印刷装置の位置を検知する検知手段と、
前記検知手段により検知された位置に対応する表示領域を設定する設定手段と、
前記表示画面に表示されるコンテンツデータのプレビュー画像を生成する生成手段と、
前記生成手段により生成された前記プレビュー画像を、前記設定手段により設定された前記表示領域に表示させる表示制御手段とを有することを特徴とする表示制御装置。
【請求項２】
前記表示領域は、前記検知手段により検知された位置に対して近接する位置に設定されることを特徴とする請求項１に記載の表示制御装置。
【請求項３】
前記印刷装置の特性及び設定のうちの少なくとも何れか一方を含む情報を取得する取得手段を更に有し、
前記生成手段は、前記取得手段により取得された情報に基づいて前記プレビュー画像を生成することを特徴とする請求項１又は２に記載の表示制御装置。
【請求項４】
前記印刷装置が前記表示画面から撤去された後も前記表示領域は保持されることを特徴とする請求項１乃至３の何れか１項に記載の表示制御装置。
【請求項５】
表示制御装置による表示制御方法であって、
表示画面に接近又は接触している印刷装置の位置を検知する検知ステップと、
前記検知ステップにより検知された位置に対応する表示領域を設定する設定ステップと、
前記表示画面に表示されるコンテンツデータのプレビュー画像を生成する生成ステップと、
前記生成ステップにより生成された前記プレビュー画像を、前記設定ステップにより設定された前記表示領域に表示させる表示制御ステップとを含むことを特徴とする表示制御方法。
【請求項６】
表示画面に接近又は接触している印刷装置の位置を検知する検知ステップと、
前記検知ステップにより検知された位置に対応する表示領域を設定する設定ステップと、
前記表示画面に表示されるコンテンツデータのプレビュー画像を生成する生成ステップと、
前記生成ステップにより生成された前記プレビュー画像を、前記設定ステップにより設定された前記表示領域に表示させる表示制御ステップとをコンピュータに実行させるためのプログラム。
【発明の詳細な説明】
【技術分野】
【０００１】
本発明は、表示画面上に表示されるコンテンツデータのプレビュー画像を生成、表示するための技術に関するものである。
【背景技術】
【０００２】
ディスプレイ上のコンテンツの印刷イメージを事前に確認するプレビュー表示を行うには、ディスプレイとプリンタを接続してコンテンツを印刷対象として選択した後、ダイアログウインドウ等によって提示されるメニューからプレビュー表示を行っていた。
【０００３】
特許文献１には、プレビュー画像とともに、プレビュー画像の近傍に当該プレビュー画像の種類を表示する技術が開示されている。
【先行技術文献】
【特許文献】
【０００４】
【特許文献１】特開２００４−２２９０１５号公報
【発明の概要】
【発明が解決しようとする課題】
【０００５】
しかしながら、従来の技術では、ディスプレイ上のコンテンツの印刷イメージをプレビューする操作が煩雑であり、多数のコンテンツの印刷イメージをプレビューしようとした場合に手間がかかるという問題があった。
【０００６】
また、特許文献１に開示される技術は、ディスプレイ上のコンテンツの印刷イメージをプレビューすることについては考慮されていない。
【０００７】
そこで、本発明の目的は、煩雑な操作を行うことなく、表示画面上に表示されるコンテンツデータのプレビュー画像を容易にプレビュー可能とすることにある。
【課題を解決するための手段】
【０００８】
本発明の表示制御装置は、表示画面に接近又は接触している印刷装置の位置を検知する検知手段と、前記検知手段により検知された位置に対応する表示領域を設定する設定手段と、前記表示画面に表示されるコンテンツデータのプレビュー画像を生成する生成手段と、前記生成手段により生成された前記プレビュー画像を、前記設定手段により設定された前記表示領域に表示させる表示制御手段とを有することを特徴とする。
【発明の効果】
【０００９】
本発明においては、表示画面に印刷装置を接近又は接触させることにより、印刷装置の位置に対応する表示領域を設定し、表示画面に表示されるコンテンツデータのプレビュー画像を生成して、当該表示領域に表示させるように構成している。従って、本発明によれば、煩雑な操作を行うことなく、表示画面上に表示されるコンテンツデータのプレビュー画像を容易にプレビューすることが可能となる。
【図面の簡単な説明】
【００１０】
【図１】本発明の実施形態に係る画像表示装置の構成を示すブロック図である。
【図２】本発明の実施形態に係る画像表示装置の動作を示すフローチャートである。
【図３】本発明の実施形態に係る画像表示装置の動作の概要を説明するための図である。
【図４】プリンタの特性情報の一例を示す図である。
【発明を実施するための形態】
【００１１】
以下、本発明を適用した好適な実施形態を、添付図面を参照しながら詳細に説明する。なお、以下に説明する実施形態で示す構成は一例に過ぎず、本発明は図示された構成に限定されるものではない。
【００１２】
図１は、本発明の実施形態に係る画像表示装置１００の構成を示すブロック図である。
図１において、１０１はプリンタである。プリンタ１０１は、ユーザにより表示装置１１２へ接近又は接触されている。プリンタ１０１は、可搬な小型プリンタであればより望ましい。なお、画像表示装置１００は、本発明の表示制御装置の適用例となる構成であり、プリンタ１０１は、本発明の印刷装置の適用例となる構成である。
【００１３】
１０２は通信部である。通信部１０２は、プリンタ１０１との間で通信を行い、接続を確立する。プリンタ１０１との接続には、公知の無線通信技術を使用する。
【００１４】
１０３は接近接触検知部である。接近接触検知部１０３は、プリンタ１０１の表示装置１１２への接近又は接触を検知する。ユーザによる印刷要求が印刷要求受付部１０５により受付けられると、接近接触検知部１０３は、表示装置１１２に接近又は接触しているプリンタ１０１を検知し、特性情報取得部１０６及びプリンタ位置検出部１０４に通知する。
【００１５】
１０４はプリンタ位置検出部である。プリンタ位置検出部１０４は、接近接触検知部１０３により検知されたプリンタ１０１の表示装置１０９での接近接触位置を検出する。なお、プリンタ位置検出部１０４は、本発明の検出手段の適用例となる構成である。
【００１６】
１０５は印刷要求受付部である。印刷要求受付部１０５は、ユーザによる印刷データ１１１の印刷要求を受付ける。印刷要求受付部１０５は、印刷要求を受付けると接近接触検知部１０３に通知を行い、表示装置１１２に接近又は接触しているプリンタ１０１を検出させる。
【００１７】
１０６は特性情報取得部である。接近接触検知部１０３の通知を受け、接近接触検知部１０３で検出されたプリンタ１０１の特性情報を、通信部１０２を介してプリンタ１０１から取得する。取得された情報はプレビュー生成部１０８で使用される。なお、特性情報取得部１０６は、本発明の取得手段の適用例となる構成である。
【００１８】
１０７はプレビュー表示領域設定部である。プレビュー表示領域設定部１０７は、プリンタ位置検知部１０４により検出された位置に接した領域にプレビュー表示領域を設定する。なお、プレビュー表示領域設定部１０７は、本発明の設定手段の適用例となる構成である。
【００１９】
１０８はプレビュー生成部である。プレビュー生成部１０８は、特性情報取得部１０６により取得されたプリンタ１０１の特性情報に基づき、印刷データ１１１のプレビュー画像を生成する。プレビュー生成部１０８は、本発明の生成手段の適用例となる構成である。
【００２０】
１０９は表示制御部である。表示制御部１０９は、表示装置１１２にコンテンツデータ（以下、コンテンツと略称する）やプレビュー画像の表示を行う。なお、表示制御部１０９は、本発明の表示制御手段の適用例となる構成である。
【００２１】
１１０はプレビュー操作部である。プレビュー操作部１１０は、プレビュー生成部１０８で生成されるプレビュー画像の拡大・縮小、スクロール等の操作を指示する。
【００２２】
１１１は印刷データである。印刷データ１１１は、表示装置１１２上の画面にコンテンツ画像として表示されている。１１２は表示装置である。
【００２３】
次に、図３を用いて本実施形態における画像表示装置１００の動作の概要を説明する。
図３において、３０１は表示装置１１２に表示されている表示画面である。３０２は図１の１０１に相当するプリンタである。３０３は表示画面３０１上のコンテンツである。３０４はプレビュー表示領域である。３０５はプレビュー画像である。
【００２４】
プリンタ３０２は表示画面３０１に接触して置かれている。ユーザがコンテンツ３０３を印刷データとして印刷要求を行うと、プリンタ３０２に隣接した領域にプレビュー表示領域３０４が設定される。プレビュー生成部１０８は、プリンタ３０２の特性情報を基にプレビュー画像３０５を生成する。プリンタ３０２の特性情報により示される設定がフチ有り・ランドスケープ印刷であれば、プレビュー画像３０５は図３に示す画像のようになる。
【００２５】
なお、プレビュー表示領域３０４は、プリンタ３０２が表示画面３０１上から撤去された後も保持しておくことも可能である。即ち、接近接触検知部１０３によってプリンタ３０２が検知されなくなった後でもプレビュー表示領域３０４を保持することも可能である。
【００２６】
次に、図２に示すフローチャートを用いて、本実施形態に係る画像表示装置１００の動作を詳細に説明する。
【００２７】
ユーザがコンテンツ３０３を選択し、印刷要求を行うと、印刷要求受付部１０５はその印刷要求を受付け、接近接触検知部１０３へ通知を行う（ステップＳ２０１）。
【００２８】
接近接触検知部１０３は、表示装置１１２の画面に接近又は接触しているプリンタ３０２の検知を行う（ステップＳ２０２）。接近接触検知部１０３は、プリンタ３０２の検知を行うと、特性情報取得部１０６へ通知を行う（ステップＳ２０３）。
【００２９】
特性情報取得部１０６は、接近接触検知部１０３からの通知を受け、接近接触検知部１０３が検知したプリンタ３０２の特性情報を取得する（ステップＳ２０３）。例えば、特性情報取得部１０６は、図４に示す特性情報をプリンタ１０１から取得する。
【００３０】
プリンタ位置検出部１０４は、接近接触検知部１０３の通知を受け、接近接触検知部１０３が検知したプリンタ３０２の接触位置を検出する（ステップＳ２０４）。プリンタ位置検出部１０４は、プリンタ３０２の接触位置を検知すると、プレビュー表示領域設定部１０７に通知を行う。
【００３１】
プレビュー表示領域設定部１０７は、プリンタ位置検出部１０４からの通知を受け、プリンタ位置検出部１０４が検出したプリンタ３０２の接触領域に近接した領域にプレビュー表示領域３０４を設定する（ステップＳ２０５）。プレビュー表示領域３０４の大きさは、設定時には固定であり３６０ピクセル×２４０ピクセルである。領域の大きさは、ユーザにより変更することが可能である。プレビュー表示領域設定部１０７は、プレビュー表示領域３０４を設定すると、プレビュー生成部１０８に通知を行う。
【００３２】
プレビュー生成部１０８は、プレビュー表示領域設定部１０７の通知を受け、プレビュー画像３０５の生成を行う（ステップＳ２０６）。プレビュー生成部１０８は、特性情報取得部１０６が取得したプリンタ３０２の特性情報を基にプレビュー画像３０５の生成を行う。図４は、プレビュー生成部１０８が使用するプリンタ３０２の特性情報を示す図である。プレビュー生成部１０８は、図４の特性情報に示される設定値及び特性値に対応するプレビュー画像３０５を生成する。生成されたプレビュー画像３０５は、表示制御部２１０９の制御によりプレビュー表示領域３０４内に表示される（ステップＳ２０７）。
【００３３】
図４に示す特性情報の例では、特性値として、プリンタ種類“インクジェットプリンタ”が設定されている。また、設定値として、カラー・白黒設定“カラー”、用紙サイズ“Ａ４”、用紙種類“普通紙”、印刷方向“ランドスケープ”、フチ有り・無し“フチ有り”、フチ大きさ“左右０．５ｃｍ／上下０．５ｃｍ”、両面印刷“ＯＦＦ”、２ｉｎ１“ＯＦＦ”、印刷品質“写真”が設定されている。プレビュー生成部１０８は、上記特性値及び設定値に対応するプレビュー画像３０５を生成する。なお、図４の例では、特性情報に含まれる情報として特性値と設定値との両方を挙げているが、これらのうちの何れか一方であってもよい。
【００３４】
本実施形態においては、表示画面３０１にプリンタ３０２を接近又は接触させることにより、プリンタ３０２の位置に対応するプレビュー表示領域３０４を設定する。そして、表示画面３０１に表示されるコンテンツ３０３のプレビュー画像３０５を生成し、プレビュー表示領域３０４に表示させるように構成している。従って、本実施形態によれば、煩雑な操作を行うことなく、表示画面３０１上に表示されるコンテンツ３０３のプレビュー画像３０５を容易にプレビューすることが可能となる。
【００３５】
本実施形態では、プリンタ３０２本体の接触又は接近によりプレビュー表示を行う動作について説明したが、切り離し可能なプリンタの一部の接触又は接近であっても同様の作用、効果を奏することができる。
【００３６】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３７】
また、本発明は、例えば、システム、装置、方法、プログラムもしくは記録媒体等としての実施形態も可能であり、具体的には、一つの機器からなる装置に適用してもよい。
【符号の説明】
【００３８】
１００  画像表示装置、１０１、３０２  プリンタ、１０２  通信部、１０３  接近接触検知部、１０４  プリンタ位置検出部、１０５  印刷要求受付部、１０６  特性情報取得部、１０７  プレビュー表示領域設定部、１０８  プレビュー生成部、１０９  表示制御部、１１０  プレビュー操作部、１１１  印刷データ、１１２  表示装置、３０１  表示画面、３０３  コンテンツ、３０４  プレビュー表示領域、３０５  プレビュー画像
【図１】
2010282364.tif 000003
【図２】
2010282364.tif 000004
【図３】
2010282364.tif 000005
【図４】
2010282364.tif 000006